(57)【要約】      （修正有）【課題】便利に普通のメガネに固定できる３Ｄメガネを開示する。【解決手段】メガネフレーム１とメガネフレームに位置した二つの３Ｄメガネレンズ４とを含み、二つの３Ｄメガネレンズが連結ロッド５によって連結され、メガネフレームの下端には二つの３Ｄメガネレンズを支持できる支持ブロック１１が二つ固定的に設けられ、メガネフレームの中には普通のメガネをきつく挟むことができる挟み機構３６が設けられ、装置はメガネをかけている人用の３Ｄメガネとメガネをかけていない人用の３Ｄメガネとを一つにし、これにより３Ｄ映画を見るときに二種類の３Ｄメガネを提供する必要がなく、観客がメガネをかけているかどうかによって３Ｄメガネを配布する必要もなく、効率よく入場でき、また装置は相対的に普通のメガネのフレームに固定できるため、落ちにくく、映画鑑賞に影響しない。【選択図】図１
2020184055.tif 000002
【特許請求の範囲】
【請求項１】
正面視で、メガネフレームとメガネフレームに位置した二つの３Ｄメガネレンズとを含み、二つの前記３Ｄメガネレンズが連結ロッドによって連結され、前記メガネフレームの下端には二つの前記３Ｄメガネレンズを支持できる支持ブロックが二つ固定的に設けられ、前記メガネフレームの中には普通のメガネをきつく挟むことができる挟み機構が設けられ、前記挟み機構は前方に開口した押し出しチャンバを含み、前記押し出しチャンバの中には前端が外部空間の中に位置した押し出し板と前記押し出しチャンバの後端壁に固定された二つの押し出しバネとが設けられ、二つの前記押し出しバネは前記押し出し板を復帰させることができ、前記押し出し板の中には二つの昇降チャンバが設けられ、前記昇降チャンバの中には昇降可能な昇降板と前記昇降板を支持する二つの昇降バネとが設けられ、前記押し出しチャンバの上端壁には下端が前記押し出し板と当接した固定ブロックが二つ設けられ、前記固定ブロックは前記押し出し板のスライドを制限でき、前記昇降板の上端面には台形ブロックが設けられ、前記台形ブロックの上端が前記固定ブロックによって下へ押されることができ、前記メガネフレームの中には前記メガネフレームを支持できる二つの伸縮機構が設けられ、前記伸縮機構が伸縮でき、前記伸縮機構は伸縮ロッドを含み、前記伸縮ロッドの中には回転チャンバが設けられ、前記回転チャンバの中には前端が外部空間に位置したつるが設けられ、前記つるの前端には後方に開口した回転溝が設けられ、前記回転溝の中には回転可能な回転ブロックが設けられ、前記回転ブロックの後端には後端が前記回転チャンバの後端壁に固定された回転バネが固定的に設けられ、前記回転バネは前記つるを復帰させることができ、前記回転チャンバの端壁の中には内壁が前記回転チャンバに連通した弓形溝が設けられ、前記回転チャンバの下端壁の中には右端壁が前記弓形溝を貫通した位置制限溝が設けられ、前記位置制限溝の前側の上端壁が前記回転チャンバに連通しており、前記位置制限溝には位置制限ブロックが摩擦によって連結され、前記位置制限ブロックの前端には前記位置制限溝に連通した収納溝が設けられ、前記収納溝の片側端壁の中には前記位置制限ブロックを貫通した貫通孔が設けられ、前記貫通孔が前記弓形溝に連通しており、前記弓形溝の片側端壁には復帰バネが固定的に設けられ、前記復帰バネの一端が前記貫通孔と前記収納溝とを貫通しており、且つ前記復帰バネの一端には弓形ロッドが接触によって連結され、前記つるの上端には上端が前記弓形溝に位置した旋転ブロックが設けられ、前記弓形ロッドの一端には前記旋転ブロックの回転を制御する弓形板が設けられていることを特徴とする便利に普通のメガネに固定できる３Ｄメガネ。
【請求項２】
前記挟み機構は前方に開口した昇降溝も含み、前記昇降溝が前記昇降チャンバと前記押し出しチャンバとに連通しており、前記押し出し板の前側には普通のメガネをきつく挟むことができる挟みブロックが設けられ、前記昇降板の中には前方に開口したバネチャンバが設けられ、前記バネチャンバが前記昇降溝に連通しており、前記バネチャンバの中には前端が前記挟みブロックに連結された連結ブロックと前記連結ブロックを復帰させることができる伸縮バネとが設けられ、前記押し出し板の後端にはロープが固定的に設けられていることを特徴とする請求項１に記載の便利に普通のメガネに固定できる３Ｄメガネ。
【請求項３】
前記伸縮機構は前記メガネフレームの中に位置した二つの摩擦チャンバも含み、前記摩擦チャンバの中には摩擦ブロックが摩擦によって連結され、前記伸縮ロッドの後端が前記摩擦チャンバの中に位置しており、且つ前記摩擦ブロックと連結され、前記ロープの後端が左側の前記摩擦チャンバの後端壁を貫通しており、且つ前記摩擦ブロックと連結されていることを特徴とする請求項１に記載の便利に普通のメガネに固定できる３Ｄメガネ。
【発明の詳細な説明】
【技術分野】
【０００１】
本発明はメガネ分野を取り上げて、具体的には便利に普通のメガネに固定できる３Ｄメガネである。
【背景技術】
【０００２】
現段階では、３Ｄ映画を見るとき、３Ｄメガネをかける必要があり、しかし、映画館のスタッフは観客がメガネをかけているかどうかによって二種類の異なった３Ｄメガネを配布し、それでは、効率よく観客を入場させることができなく、映画館が込みやすく、また一部の３Ｄメガネはクリップを設置することで普通のメガネに固定するが、こういう方法では３Ｄメガネが普通のメガネでスライドしやすくなり、映画鑑賞に影響する。
【先行技術文献】
【特許文献】
【０００３】
【特許文献１】中国特許出願公開第１０３８８５１７２号明細書
【発明の概要】
【発明が解決しようとする課題】
【０００４】
本発明の目的は便利に普通のメガネに固定できる３Ｄメガネを提供し、それは上記の現在の技術中の問題を解決できる。
【課題を解決するための手段】
【０００５】
上記の課題を解決するため、本発明は以下の技術プランを採用する：本発明の便利に普通のメガネに固定できる３Ｄメガネは、メガネフレームとメガネフレームに位置した二つの３Ｄメガネレンズとを含み、二つの前記３Ｄメガネレンズが連結ロッドによって連結され、前記メガネフレームの下端には二つの前記３Ｄメガネレンズを支持できる支持ブロックが二つ固定的に設けられ、前記メガネフレームの中には普通のメガネをきつく挟むことができる挟み機構が設けられ、前記挟み機構は前方に開口した押し出しチャンバを含み、前記押し出しチャンバの中には前端が外部空間の中に位置した押し出し板と前記押し出しチャンバの後端壁に固定された二つの押し出しバネとが設けられ、二つの前記押し出しバネは前記押し出し板を復帰させることができ、前記押し出し板の中には二つの昇降チャンバが設けられ、前記昇降チャンバの中には昇降可能な昇降板と前記昇降板を支持する二つの昇降バネとが設けられ、前記押し出しチャンバの上端壁には下端が前記押し出し板と当接した固定ブロックが二つ設けられ、前記固定ブロックは前記押し出し板のスライドを制限でき、前記昇降板の上端面には台形ブロックが設けられ、前記台形ブロックの上端が前記固定ブロックによって下へ押されることができ、前記メガネフレームの中には前記メガネフレームを支持できる二つの伸縮機構が設けられ、前記伸縮機構が伸縮でき、前記伸縮機構は伸縮ロッドを含み、前記伸縮ロッドの中には回転チャンバが設けられ、前記回転チャンバの中には前端が外部空間に位置したつるが設けられ、前記つるの前端には後方に開口した回転溝が設けられ、前記回転溝の中には回転可能な回転ブロックが設けられ、前記回転ブロックの後端には後端が前記回転チャンバの後端壁に固定された回転バネが固定的に設けられ、前記回転バネは前記つるを復帰させることができ、前記回転チャンバの端壁の中には内壁が前記回転チャンバに連通した弓形溝が設けられ、前記回転チャンバの下端壁の中には右端壁が前記弓形溝を貫通した位置制限溝が設けられ、前記位置制限溝の前側の上端壁が前記回転チャンバに連通しており、前記位置制限溝には位置制限ブロックが摩擦によって連結され、前記位置制限ブロックの前端には前記位置制限溝に連通した収納溝が設けられ、前記収納溝の片側端壁の中には前記位置制限ブロックを貫通した貫通孔が設けられ、前記貫通孔が前記弓形溝に連通しており、前記弓形溝の片側端壁には復帰バネが固定的に設けられ、前記復帰バネの一端が前記貫通孔と前記収納溝とを貫通しており、且つ前記復帰バネの一端には弓形ロッドが接触によって連結され、前記つるの上端には上端が前記弓形溝に位置した旋転ブロックが設けられ、前記弓形ロッドの一端には前記旋転ブロックの回転を制御する弓形板が設けられ、当該装置を使用して３Ｄ映画を見るとき、メガネをかけていない人が前記伸縮機構を回転させた後に当該装置をかけるだけて映画を見ることができ、メガネをかけている人が前記伸縮機構を押し動かすことで前記挟み機構によって普通のメガネをきつく挟むことができ、そして普通のメガネをかけて映画を鑑賞し、つるが普通のメガネに影響しない。
【０００６】
優選の技術プランとして、前記挟み機構は前方に開口した昇降溝も含み、前記昇降溝が前記昇降チャンバと前記押し出しチャンバとに連通しており、前記押し出し板の前側には普通のメガネをきつく挟むことができる挟みブロックが設けられ、前記昇降板の中には前方に開口したバネチャンバが設けられ、前記バネチャンバが前記昇降溝に連通しており、前記バネチャンバの中には前端が前記挟みブロックに連結された連結ブロックと前記連結ブロックを復帰させることができる伸縮バネとが設けられ、前記押し出し板の後端にはロープが固定的に設けられ、前記挟み機構の作用は使用者がメガネをかけている人の場合、前記伸縮機構を押し動かした後、前記挟みブロックを押し出し、前記挟みブロックと前記支持ブロックとの協働により普通のメガネをきつく挟むことである。
【０００７】
優選の技術プランとして、前記伸縮機構は前記メガネフレームの中に位置した二つの摩擦チャンバも含み、前記摩擦チャンバの中には摩擦ブロックが摩擦によって連結され、前記伸縮ロッドの後端が前記摩擦チャンバの中に位置しており、且つ前記摩擦ブロックと連結され、前記ロープの後端が左側の前記摩擦チャンバの後端壁を貫通しており、且つ前記摩擦ブロックと連結され、前記伸縮機構の作用は前記挟み機構の作動を制御することと同時に、前記つるを回転させた後に前記つるが直接に飛び出すことができ、そして装置を直接にかけて映画を見ることができることである。
【発明の効果】
【０００８】
本装置は構造が簡単で、操作が便利であり、装置はメガネをかけている人用の３Ｄメガネとメガネをかけていない人用の３Ｄメガネとを一つにし、これにより３Ｄ映画を見るときに二種類の３Ｄメガネを提供する必要がなく、観客がメガネをかけているかどうかによって３Ｄメガネを配布する必要もなく、効率よく入場でき、また装置は相対的に普通のメガネのフレームに固定できるため、落ちにくく、映画鑑賞に影響しない。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の便利に普通のメガネに固定できる３Ｄメガネの全体断面正面構成略図
【図２】図２は本発明の便利に普通のメガネに固定できる３ＤメガネのＡ―Ａの構成略図
【図３】図３は本発明の便利に普通のメガネに固定できる３ＤメガネのＢ―Ｂの構成略図
【図４】図４は本発明の便利に普通のメガネに固定できる３ＤメガネのＣ―Ｃの構成略図
【図５】図５は本発明の便利に普通のメガネに固定できる３ＤメガネのＤ―Ｄの構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５を参照し、本発明の便利に普通のメガネに固定できる３Ｄメガネは、メガネフレーム１とメガネフレーム１に位置した二つの３Ｄメガネレンズ４とを含み、二つの前記３Ｄメガネレンズ４が連結ロッド５によって連結され、前記メガネフレーム１の下端には二つの前記３Ｄメガネレンズ４を支持できる支持ブロック１１が二つ固定的に設けられ、前記メガネフレーム１の中には普通のメガネをきつく挟むことができる挟み機構３６が設けられ、前記挟み機構３６は前方に開口した押し出しチャンバ１０を含み、前記押し出しチャンバ１０の中には前端が外部空間の中に位置した押し出し板８と前記押し出しチャンバ１０の後端壁に固定された二つの押し出しバネ１４とが設けられ、二つの前記押し出しバネ１４は前記押し出し板８を復帰させることができ、前記押し出し板８の中には二つの昇降チャンバ６が設けられ、前記昇降チャンバ６の中には昇降可能な昇降板７と前記昇降板７を支持する二つの昇降バネ９とが設けられ、前記押し出しチャンバ１０の上端壁には下端が前記押し出し板８と当接した固定ブロック１７が二つ設けられ、前記固定ブロック１７は前記押し出し板８のスライドを制限でき、前記昇降板７の上端面には台形ブロック１６が設けられ、前記台形ブロック１６の上端が前記固定ブロック１７によって下へ押されることができ、前記メガネフレーム１の中には前記メガネフレーム１を支持できる二つの伸縮機構３５が設けられ、前記伸縮機構３５が伸縮でき、前記伸縮機構３５は伸縮ロッド３１を含み、前記伸縮ロッド３１の中には回転チャンバ３９が設けられ、前記回転チャンバ３９の中には前端が外部空間に位置したつる３０が設けられ、前記つる３０の前端には後方に開口した回転溝３７が設けられ、前記回転溝３７の中には回転可能な回転ブロック３８が設けられ、前記回転ブロック３８の後端には後端が前記回転チャンバ３９の後端壁に固定された回転バネ２５が固定的に設けられ、前記回転バネ２５は前記つる３０を復帰させることができ、前記回転チャンバ３９の端壁の中には内壁が前記回転チャンバ３９に連通した弓形溝２６が設けられ、前記回転チャンバ３９の下端壁の中には右端壁が前記弓形溝２６を貫通した位置制限溝２３が設けられ、前記位置制限溝２３の前側の上端壁が前記回転チャンバ３９に連通しており、前記位置制限溝２３には位置制限ブロック２１が摩擦によって連結され、前記位置制限ブロック２１の前端には前記位置制限溝２３に連通した収納溝２２が設けられ、前記収納溝２２の片側端壁の中には前記位置制限ブロック２１を貫通した貫通孔２４が設けられ、前記貫通孔２４が前記弓形溝２６に連通しており、前記弓形溝２６の片側端壁には復帰バネ３２が固定的に設けられ、前記復帰バネ３２の一端が前記貫通孔２４と前記収納溝２２とを貫通しており、且つ前記復帰バネ３２の一端には弓形ロッド３３が接触によって連結され、前記つる３０の上端には上端が前記弓形溝２６に位置した旋転ブロック２７が設けられ、前記弓形ロッド３３の一端には前記旋転ブロック２７の回転を制御する弓形板３４が設けられ、当該装置を使用して３Ｄ映画を見るとき、メガネをかけていない人が前記伸縮機構３５を回転させた後に当該装置をかけるだけて映画を見ることができ、メガネをかけている人が前記伸縮機構３５を押し動かすことで前記挟み機構３６によって普通のメガネをきつく挟むことができ、そして普通のメガネをかけて映画を鑑賞し、つる３０が普通のメガネに影響しない。
【００１３】
有益に、前記挟み機構３６は前方に開口した昇降溝２０も含み、前記昇降溝２０が前記昇降チャンバ６と前記押し出しチャンバ１０とに連通しており、前記押し出し板８の前側には普通のメガネをきつく挟むことができる挟みブロック１３が設けられ、前記昇降板７の中には前方に開口したバネチャンバ１９が設けられ、前記バネチャンバ１９が前記昇降溝２０に連通しており、前記バネチャンバ１９の中には前端が前記挟みブロック１３に連結された連結ブロック１２と前記連結ブロック１２を復帰させることができる伸縮バネ１８とが設けられ、前記押し出し板８の後端にはロープ１５が固定的に設けられ、前記挟み機構３６の作用は使用者がメガネをかけている人の場合、前記伸縮機構３５を押し動かした後、前記挟みブロック１３を押し出し、前記挟みブロック１３と前記支持ブロック１１との協働により普通のメガネをきつく挟むことである。
【００１４】
有益に、前記伸縮機構３５は前記メガネフレーム１の中に位置した二つの摩擦チャンバ２も含み、前記摩擦チャンバ２の中には摩擦ブロック３が摩擦によって連結され、前記伸縮ロッド３１の後端が前記摩擦チャンバ２の中に位置しており、且つ前記摩擦ブロック３と連結され、前記ロープ１５の後端が左側の前記摩擦チャンバ２の後端壁を貫通しており、且つ前記摩擦ブロック３と連結され、前記伸縮機構３５の作用は前記挟み機構３６の作動を制御することと同時に、前記つる３０を回転させた後に前記つる３０が直接に飛び出すことができ、そして装置を直接にかけて映画を見ることができることである。
【００１５】
以下、図１〜５と上記に説明した本出願の便利に普通のメガネに固定できる３Ｄメガネの具体的な構造とを参照し、便利に普通のメガネに固定できる３Ｄメガネの使用方法を詳しく説明する：
【００１６】
映画を見るときに装置を普通のメガネに固定するとき、普通のメガネのレンズを３Ｄメガネの前側に置き、後ろへ伸縮ロッド３１を押し動かし、これによりロープ１５が緩くなり、これにより押し出しバネ１４が押し出し板８を前へ押し出し、これにより挟みブロック１３が外部空間に位置し、台形ブロック１６が前へ運動するときに固定ブロック１７に止められ、これにより台形ブロック１６が下へ運動し、これにより昇降板７を下へ運動させ、これにより挟みブロック１３を下へ運動させ、これにより普通のメガネをきつく挟み、そして普通のメガネをかければ映画を見れ、装置を初期状態に戻すとき、伸縮ロッド３１を引き動かし、ロープ１５により押し出し板８を復帰連動させ、挟みブロック１３がメガネフレーム１に制限させるため、伸縮バネ１８が引っ張られ、押し出し板８が後ろへ運動することによって台形ブロック１６を固定ブロック１７の後側に位置させ、昇降板７が昇降バネ９の作用により上へ運動し、これにより挟みブロック１３を上昇させ、これにより挟みブロック１３が伸縮バネ１８の作用により復帰し、装置が初期状態に戻る。
【００１７】
直接に装置をかけて映画を見るとき、つる３０を回転させることにより旋転ブロック２７が回転し、これにより弓形ロッド３３の一端が貫通孔２４の中に位置し、且つ弓形板３４が収納溝２２の中に位置し、旋転ブロック２７が収納溝２２の中に位置した後、復帰バネ３２が貫通孔２４の中から押し出され、これによりつる３０が回転バネ２５の作用により前へ押し出され、これにより位置制限ブロック２１が旋転ブロック２７とつる３０との作用により前へ運動し、復帰バネ３２の復帰を制限し、つる３０が押し出された後に装置をかけて映画を見ることができ、装置を復帰させるとき、後ろへつる３０を押し動かして復帰させ、弓形ロッド３３と復帰バネ３２とが再び接触し、復帰バネ３２が再び復帰し、弓形ロッド３３と弓形板３４と旋転ブロック２７とを復帰連動させ、これによりつる３０を復帰させ、また回転バネ２５の復帰を制限し、装置が初期状態に戻る。
【００１８】
本装置の有益効果は：本装置は構造が簡単で、操作が便利であり、装置はメガネをかけている人用の３Ｄメガネとメガネをかけていない人用の３Ｄメガネとを一つにし、これにより３Ｄ映画を見るときに二種類の３Ｄメガネを提供する必要がなく、観客がメガネをかけているかどうかによって３Ｄメガネを配布する必要もなく、効率よく入場でき、また装置は相対的に普通のメガネのフレームに固定できるため、落ちにくく、映画鑑賞に影響しない。
【００１９】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020184055.tif 000003
【図２】
2020184055.tif 000004
【図３】
2020184055.tif 000005
【図４】
2020184055.tif 000006
【図５】
2020184055.tif 000007
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
正面視で、メガネフレームとメガネフレームに位置した二つの３Ｄメガネレンズとを含み、二つの前記３Ｄメガネレンズが連結ロッドによって連結され、前記メガネフレームの下端には二つの前記３Ｄメガネレンズを支持できる支持ブロックが二つ固定的に設けられ、前記メガネフレームの中には近眼メガネをきつく挟むことができる挟み機構が設けられ、前記挟み機構は前方に開口した押し出しチャンバを含み、前記押し出しチャンバの中には前端が外部空間の中に位置できる押し出し板と前記押し出しチャンバの後端壁に固定された二つの押し出しバネとが設けられ、二つの前記押し出しバネは前記押し出し板を復帰させることができ、前記押し出し板の中には二つの昇降チャンバが設けられ、前記昇降チャンバの中には昇降可能な昇降板と前記昇降板を支持する二つの昇降バネとが設けられ、前記押し出しチャンバの上端壁には下端が前記押し出し板と当接した固定ブロックが二つ設けられ、前記固定ブロックは前記押し出し板のスライドを制限でき、前記昇降板の上端面には台形ブロックが設けられ、前記台形ブロックの上端が前記固定ブロックによって下へ押されることができ、前記メガネフレームの中には前記メガネフレームを支持できる二つの伸縮機構が設けられ、前記伸縮機構が伸縮でき、前記伸縮機構は伸縮ロッドを含み、前記伸縮ロッドの中には回転チャンバが設けられ、前記回転チャンバの中には前端が外部空間に位置できるつるが設けられ、前記つるの前端には後方に開口した回転溝が設けられ、前記回転溝の中には回転可能な回転ブロックが設けられ、前記回転ブロックの後端には後端が前記回転チャンバの後端壁に固定された回転バネが固定的に設けられ、前記回転バネは前記つるを復帰させることができ、前記回転チャンバの端壁の中には内壁が前記回転チャンバに連通した弓形溝が設けられ、前記回転チャンバの下端壁の中には位置制限溝が設けられ、前記位置制限溝の左右端壁が前記弓形溝に貫通され、前記位置制限溝の前側上端壁が前記回転チャンバと連通しており、前記位置制限溝の前側の上端壁が前記回転チャンバに連通しており、前記位置制限溝には位置制限ブロックが摩擦によって連結され、前記位置制限ブロックの前端には前記位置制限溝に連通した収納溝が設けられ、前記収納溝の片側端壁の中には前記位置制限ブロックを貫通した貫通孔が設けられ、前記貫通孔が前記弓形溝に連通しており、前記弓形溝の片側端壁には復帰バネが固定的に設けられ、前記復帰バネの一端が前記貫通孔と前記収納溝とを貫通しており、且つ前記復帰バネの一端には弓形ロッドが接触によって連結され、前記つるの上端には上端が前記弓形溝に位置した旋転ブロックが設けられ、前記弓形ロッドの一端には前記旋転ブロックの回転を制御する弓形板が設けられ、
前記挟み機構は前方に開口した上げチャンバも含み、前記上げチャンバが前記昇降チャンバと前記押し出しチャンバとに連通しており、前記押し出し板の前側には近眼メガネをきつく挟むことができる挟みブロックが設けられ、前記昇降板の中には前方に開口したバネチャンバが設けられ、前記バネチャンバが前記上げチャンバに連通しており、前記バネチャンバの中には前端が前記挟みブロックに連結された連結ブロックと前記連結ブロックを復帰させることができる伸縮バネとが設けられ、前記押し出し板の後端にはロープが固定的に設けられ、
前記伸縮機構は前記メガネフレームの中に位置した二つの摩擦チャンバも含み、前記摩擦チャンバの中には摩擦ブロックが摩擦によって連結され、前記伸縮ロッドの後端が前記摩擦チャンバの中に位置しており、且つ前記摩擦ブロックと連結され、前記ロープの後端が左側の前記摩擦チャンバの後端壁を貫通しており、且つ前記摩擦ブロックと連結されていることを特徴とする便利に近眼メガネに固定できる３Ｄメガネ。
【手続補正２】
【補正対象書類名】明細書
【補正対象項目名】全文
【補正方法】変更
【補正の内容】
【発明の詳細な説明】
【技術分野】
【０００１】
本発明はメガネ分野を取り上げて、具体的には便利に近眼メガネに固定できる３Ｄメガネである。
【背景技術】
【０００２】
現段階では、３Ｄ映画を見るとき、３Ｄメガネをかける必要があり、しかし、映画館のスタッフは観客がメガネをかけているかどうかによって二種類の異なった３Ｄメガネを配布し、それでは、効率よく観客を入場させることができなく、映画館が込みやすく、また一部の３Ｄメガネはクリップを設置することで近眼メガネに固定するが、こういう方法では３Ｄメガネが近眼メガネでスライドしやすくなり、映画鑑賞に影響する。
【先行技術文献】
【特許文献】
【０００３】
【特許文献１】中国特許出願公開第１０３８８５１７２号明細書
【発明の概要】
【発明が解決しようとする課題】
【０００４】
本発明の目的は便利に近眼メガネに固定できる３Ｄメガネを提供し、それは上記の現在の技術中の問題を解決できる。
【課題を解決するための手段】
【０００５】
上記の課題を解決するため、本発明は以下の技術プランを採用する：本発明の便利に近眼メガネに固定できる３Ｄメガネは、メガネフレームとメガネフレームに位置した二つの３Ｄメガネレンズとを含み、二つの前記３Ｄメガネレンズが連結ロッドによって連結され、前記メガネフレームの下端には二つの前記３Ｄメガネレンズを支持できる支持ブロックが二つ固定的に設けられ、前記メガネフレームの中には近眼メガネをきつく挟むことができる挟み機構が設けられ、前記挟み機構は前方に開口した押し出しチャンバを含み、前記押し出しチャンバの中には前端が外部空間の中に位置できる押し出し板と前記押し出しチャンバの後端壁に固定された二つの押し出しバネとが設けられ、二つの前記押し出しバネは前記押し出し板を復帰させることができ、前記押し出し板の中には二つの昇降チャンバが設けられ、前記昇降チャンバの中には昇降可能な昇降板と前記昇降板を支持する二つの昇降バネとが設けられ、前記押し出しチャンバの上端壁には下端が前記押し出し板と当接した固定ブロックが二つ設けられ、前記固定ブロックは前記押し出し板のスライドを制限でき、前記昇降板の上端面には台形ブロックが設けられ、前記台形ブロックの上端が前記固定ブロックによって下へ押されることができ、前記メガネフレームの中には前記メガネフレームを支持できる二つの伸縮機構が設けられ、前記伸縮機構が伸縮でき、前記伸縮機構は伸縮ロッドを含み、前記伸縮ロッドの中には回転チャンバが設けられ、前記回転チャンバの中には前端が外部空間に位置できるつるが設けられ、前記つるの前端には後方に開口した回転溝が設けられ、前記回転溝の中には回転可能な回転ブロックが設けられ、前記回転ブロックの後端には後端が前記回転チャンバの後端壁に固定された回転バネが固定的に設けられ、前記回転バネは前記つるを復帰させることができ、前記回転チャンバの端壁の中には内壁が前記回転チャンバに連通した弓形溝が設けられ、前記回転チャンバの下端壁の中には位置制限溝が設けられ、前記位置制限溝の左右端壁が前記弓形溝に貫通され、前記位置制限溝の前側上端壁が前記回転チャンバと連通しており、前記位置制限溝の前側の上端壁が前記回転チャンバに連通しており、前記位置制限溝には位置制限ブロックが摩擦によって連結され、前記位置制限ブロックの前端には前記位置制限溝に連通した収納溝が設けられ、前記収納溝の片側端壁の中には前記位置制限ブロックを貫通した貫通孔が設けられ、前記貫通孔が前記弓形溝に連通しており、前記弓形溝の片側端壁には復帰バネが固定的に設けられ、前記復帰バネの一端が前記貫通孔と前記収納溝とを貫通しており、且つ前記復帰バネの一端には弓形ロッドが接触によって連結され、前記つるの上端には上端が前記弓形溝に位置した旋転ブロックが設けられ、前記弓形ロッドの一端には前記旋転ブロックの回転を制御する弓形板が設けられ、当該装置を使用して３Ｄ映画を見るとき、メガネをかけていない人が前記伸縮機構を回転させた後に当該装置をかけるだけて映画を見ることができ、メガネをかけている人が前記伸縮機構を押し動かすことで前記挟み機構によって近眼メガネをきつく挟むことができ、そして近眼メガネをかけて映画を鑑賞し、つるが近眼メガネに影響しない。
【０００６】
優選の技術プランとして、前記挟み機構は前方に開口した上げチャンバも含み、前記上げチャンバが前記昇降チャンバと前記押し出しチャンバとに連通しており、前記押し出し板の前側には近眼メガネをきつく挟むことができる挟みブロックが設けられ、前記昇降板の中には前方に開口したバネチャンバが設けられ、前記バネチャンバが前記上げチャンバに連通しており、前記バネチャンバの中には前端が前記挟みブロックに連結された連結ブロックと前記連結ブロックを復帰させることができる伸縮バネとが設けられ、前記押し出し板の後端にはロープが固定的に設けられ、前記挟み機構の作用は使用者がメガネをかけている人の場合、前記伸縮機構を押し動かした後、前記挟みブロックを押し出し、前記挟みブロックと前記支持ブロックとの協働により近眼メガネをきつく挟むことである。
【０００７】
優選の技術プランとして、前記伸縮機構は前記メガネフレームの中に位置した二つの摩擦チャンバも含み、前記摩擦チャンバの中には摩擦ブロックが摩擦によって連結され、前記伸縮ロッドの後端が前記摩擦チャンバの中に位置しており、且つ前記摩擦ブロックと連結され、前記ロープの後端が左側の前記摩擦チャンバの後端壁を貫通しており、且つ前記摩擦ブロックと連結され、前記伸縮機構の作用は前記挟み機構の作動を制御することと同時に、前記つるを回転させた後に前記つるが直接に飛び出すことができ、そして装置を直接にかけて映画を見ることができることである。
【発明の効果】
【０００８】
本装置は構造が簡単で、操作が便利であり、装置はメガネをかけている人用の３Ｄメガネとメガネをかけていない人用の３Ｄメガネとを一つにし、これにより３Ｄ映画を見るときに二種類の３Ｄメガネを提供する必要がなく、観客がメガネをかけているかどうかによって３Ｄメガネを配布する必要もなく、効率よく入場でき、また装置は相対的に近眼メガネのフレームに固定できるため、落ちにくく、映画鑑賞に影響しない。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の便利に近眼メガネに固定できる３Ｄメガネの全体断面正面    構成略図
【図２】図２は本発明の便利に近眼メガネに固定できる３ＤメガネのＡ―Ａの構成    略図
【図３】図３は本発明の便利に近眼メガネに固定できる３ＤメガネのＢ―Ｂの構成    略図
【図４】図４は本発明の便利に近眼メガネに固定できる３ＤメガネのＣ―Ｃの構成    略図
【図５】図５は本発明の便利に近眼メガネに固定できる３ＤメガネのＤ―Ｄの構成    略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５を参照し、本発明の便利に近眼メガネに固定できる３Ｄメガネは、メガネフレーム１とメガネフレーム１に位置した二つの３Ｄメガネレンズ４とを含み、二つの前記３Ｄメガネレンズ４が連結ロッド５によって連結され、前記メガネフレーム１の下端には二つの前記３Ｄメガネレンズ４を支持できる支持ブロック１１が二つ固定的に設けられ、前記メガネフレーム１の中には近眼メガネをきつく挟むことができる挟み機構３６が設けられ、前記挟み機構３６は前方に開口した押し出しチャンバ１０を含み、前記押し出しチャンバ１０の中には前端が外部空間の中に位置できる押し出し板８と前記押し出しチャンバ１０の後端壁に固定された二つの押し出しバネ１４とが設けられ、二つの前記押し出しバネ１４は前記押し出し板８を復帰させることができ、前記押し出し板８の中には二つの昇降チャンバ６が設けられ、前記昇降チャンバ６の中には昇降可能な昇降板７と前記昇降板７を支持する二つの昇降バネ９とが設けられ、前記押し出しチャンバ１０の上端壁には下端が前記押し出し板８と当接した固定ブロック１７が二つ設けられ、前記固定ブロック１７は前記押し出し板８のスライドを制限でき、前記昇降板７の上端面には台形ブロック１６が設けられ、前記台形ブロック１６の上端が前記固定ブロック１７によって下へ押されることができ、前記メガネフレーム１の中には前記メガネフレーム１を支持できる二つの伸縮機構３５が設けられ、前記伸縮機構３５が伸縮でき、前記伸縮機構３５は伸縮ロッド３１を含み、前記伸縮ロッド３１の中には回転チャンバ３９が設けられ、前記回転チャンバ３９の中には前端が外部空間に位置できるつる３０が設けられ、前記つる３０の前端には後方に開口した回転溝３７が設けられ、前記回転溝３７の中には回転可能な回転ブロック３８が設けられ、前記回転ブロック３８の後端には後端が前記回転チャンバ３９の後端壁に固定された回転バネ２５が固定的に設けられ、前記回転バネ２５は前記つる３０を復帰させることができ、前記回転チャンバ３９の端壁の中には内壁が前記回転チャンバ３９に連通した弓形溝２６が設けられ、前記回転チャンバ３９の下端壁の中には位置制限溝２３が設けられ、前記位置制限溝２３の左右端壁が前記弓形溝２６に貫通され、前記位置制限溝２３の前側上端壁が前記回転チャンバ３９と連通しており、前記位置制限溝２３の前側の上端壁が前記回転チャンバ３９に連通しており、前記位置制限溝２３には位置制限ブロック２１が摩擦によって連結され、前記位置制限ブロック２１の前端には前記位置制限溝２３に連通した収納溝２２が設けられ、前記収納溝２２の片側端壁の中には前記位置制限ブロック２１を貫通した貫通孔２４が設けられ、前記貫通孔２４が前記弓形溝２６に連通しており、前記弓形溝２６の片側端壁には復帰バネ３２が固定的に設けられ、前記復帰バネ３２の一端が前記貫通孔２４と前記収納溝２２とを貫通しており、且つ前記復帰バネ３２の一端には弓形ロッド３３が接触によって連結され、前記つる３０の上端には上端が前記弓形溝２６に位置した旋転ブロック２７が設けられ、前記弓形ロッド３３の一端には前記旋転ブロック２７の回転を制御する弓形板３４が設けられ、当該装置を使用して３Ｄ映画を見るとき、メガネをかけていない人が前記伸縮機構３５を回転させた後に当該装置をかけるだけて映画を見ることができ、メガネをかけている人が前記伸縮機構３５を押し動かすことで前記挟み機構３６によって近眼メガネをきつく挟むことができ、そして近眼メガネをかけて映画を鑑賞し、つる３０が近眼メガネに影響しない。
【００１３】
有益に、前記挟み機構３６は前方に開口した上げチャンバ２０も含み、前記上げチャンバ２０が前記昇降チャンバ６と前記押し出しチャンバ１０とに連通しており、前記押し出し板８の前側には近眼メガネをきつく挟むことができる挟みブロック１３が設けられ、前記昇降板７の中には前方に開口したバネチャンバ１９が設けられ、前記バネチャンバ１９が前記上げチャンバ２０に連通しており、前記バネチャンバ１９の中には前端が前記挟みブロック１３に連結された連結ブロック１２と前記連結ブロック１２を復帰させることができる伸縮バネ１８とが設けられ、前記押し出し板８の後端にはロープ１５が固定的に設けられ、前記挟み機構３６の作用は使用者がメガネをかけている人の場合、前記伸縮機構３５を押し動かした後、前記挟みブロック１３を押し出し、前記挟みブロック１３と前記支持ブロック１１との協働により近眼メガネをきつく挟むことである。
【００１４】
有益に、前記伸縮機構３５は前記メガネフレーム１の中に位置した二つの摩擦チャンバ２も含み、前記摩擦チャンバ２の中には摩擦ブロック３が摩擦によって連結され、前記伸縮ロッド３１の後端が前記摩擦チャンバ２の中に位置しており、且つ前記摩擦ブロック３と連結され、前記ロープ１５の後端が左側の前記摩擦チャンバ２の後端壁を貫通しており、且つ前記摩擦ブロック３と連結され、前記伸縮機構３５の作用は前記挟み機構３６の作動を制御することと同時に、前記つる３０を回転させた後に前記つる３０が直接に飛び出すことができ、そして装置を直接にかけて映画を見ることができることである。
【００１５】
以下、図１〜５と上記に説明した本出願の便利に近眼メガネに固定できる３Ｄメガネの具体的な構造とを参照し、便利に近眼メガネに固定できる３Ｄメガネの使用方法を詳しく説明する：
【００１６】
映画を見るときに装置を近眼メガネに固定するとき、近眼メガネのレンズを３Ｄメガネの前側に置き、後ろへ伸縮ロッド３１を押し動かし、これによりロープ１５が緩くなり、これにより押し出しバネ１４が押し出し板８を前へ押し出し、これにより挟みブロック１３が外部空間に位置し、台形ブロック１６が前へ運動するときに固定ブロック１７に止められ、これにより台形ブロック１６が下へ運動し、これにより昇降板７を下へ運動させ、これにより挟みブロック１３を下へ運動させ、これにより近眼メガネをきつく挟み、そして近眼メガネをかければ映画を見れ、装置を初期状態に戻すとき、伸縮ロッド３１を引き動かし、ロープ１５により押し出し板８を復帰連動させ、挟みブロック１３がメガネフレーム１に制限させるため、伸縮バネ１８が引っ張られ、押し出し板８が後ろへ運動することによって台形ブロック１６を固定ブロック１７の後側に位置させ、昇降板７が昇降バネ９の作用により上へ運動し、これにより挟みブロック１３を上昇させ、これにより挟みブロック１３が伸縮バネ１８の作用により復帰し、装置が初期状態に戻る。
【００１７】
直接に装置をかけて映画を見るとき、つる３０を回転させることにより旋転ブロック２７が回転し、これにより弓形ロッド３３の一端が貫通孔２４の中に位置し、且つ弓形板３４が収納溝２２の中に位置し、旋転ブロック２７が収納溝２２の中に位置した後、復帰バネ３２が貫通孔２４の中から押し出され、これによりつる３０が回転バネ２５の作用により前へ押し出され、これにより位置制限ブロック２１が旋転ブロック２７とつる３０との作用により前へ運動し、復帰バネ３２の復帰を制限し、つる３０が押し出された後に装置をかけて映画を見ることができ、装置を復帰させるとき、後ろへつる３０を押し動かして復帰させ、弓形ロッド３３と復帰バネ３２とが再び接触し、復帰バネ３２が再び復帰し、弓形ロッド３３と弓形板３４と旋転ブロック２７とを復帰連動させ、これによりつる３０を復帰させ、また回転バネ２５の復帰を制限し、装置が初期状態に戻る。
【００１８】
本装置の有益効果は：本装置は構造が簡単で、操作が便利であり、装置はメガネをかけている人用の３Ｄメガネとメガネをかけていない人用の３Ｄメガネとを一つにし、これにより３Ｄ映画を見るときに二種類の３Ｄメガネを提供する必要がなく、観客がメガネをかけているかどうかによって３Ｄメガネを配布する必要もなく、効率よく入場でき、また装置は相対的に近眼メガネのフレームに固定できるため、落ちにくく、映画鑑賞に影響しない。
【００１９】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正３】
【補正対象書類名】図面
【補正対象項目名】図１
【補正方法】変更
【補正の内容】
【図１】
2020184055.tif 000008
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
正面視で、メガネフレームとメガネフレームに位置した二つの３Ｄメガネレンズとを含み、二つの前記３Ｄメガネレンズが連結ロッドによって連結され、前記メガネフレームの下端には二つの前記３Ｄメガネレンズを支持できる支持ブロックが二つ固定的に設けられ、前記メガネフレームの中にはメガネをきつく挟むことができる挟み機構が設けられ、前記挟み機構は前方に開口した押し出しチャンバを含み、前記押し出しチャンバの中には前端が外部空間の中に位置できる押し出し板と前記押し出しチャンバの後端壁に固定された二つの押し出しバネとが設けられ、二つの前記押し出しバネは前記押し出し板を復帰させることができ、前記押し出し板の中には二つの昇降チャンバが設けられ、前記昇降チャンバの中には昇降可能な昇降板と前記昇降板を支持する二つの昇降バネとが設けられ、前記押し出しチャンバの上端壁には下端が前記押し出し板と当接した固定ブロックが二つ設けられ、前記固定ブロックは前記押し出し板のスライドを制限でき、前記昇降板の上端面には台形ブロックが設けられ、前記台形ブロックの上端が前記固定ブロックによって下へ押されることができ、前記メガネフレームの中には前記メガネフレームを支持できる二つの伸縮機構が設けられ、前記伸縮機構が伸縮でき、前記伸縮機構は伸縮ロッドを含み、前記伸縮ロッドの中には回転チャンバが設けられ、前記回転チャンバの中には後端が外部空間に位置できるつるが設けられ、前記つるの前端には前方に開口した回転溝が設けられ、前記回転溝の中には回転可能な回転ブロックが設けられ、前記回転ブロックの前端には前端が前記回転チャンバの前端壁に固定された回転バネが固定的に設けられ、前記回転バネは前記つるを復帰させることができ、前記回転チャンバの端壁の中には内壁が前記回転チャンバに連通した弓形溝が設けられ、前記回転チャンバの下端壁の中には位置制限溝が設けられ、前記位置制限溝の左右端壁が前記弓形溝に貫通され、前記位置制限溝の後側上端壁が前記回転チャンバと連通しており、前記位置制限溝の後側の上端壁が前記回転チャンバに連通しており、前記位置制限溝には位置制限ブロックが摩擦によって連結され、前記位置制限ブロックの後端には前記位置制限溝に連通した収納溝が設けられ、前記収納溝の片側端壁の中には前記位置制限ブロックを貫通した貫通孔が設けられ、前記貫通孔が前記弓形溝に連通しており、前記弓形溝の片側端壁には復帰バネが固定的に設けられ、前記復帰バネの一端が前記貫通孔と前記収納溝とを貫通しており、且つ前記復帰バネの一端には弓形ロッドが接触によって連結され、前記つるの上端には上端が前記弓形溝に位置した旋転ブロックが設けられ、前記弓形ロッドの一端には前記旋転ブロックの回転を制御する弓形板が設けられ、
前記挟み機構は前方に開口した昇降穴も含み、前記昇降穴が前記昇降チャンバと前記押し出しチャンバとに連通しており、前記押し出し板の前側にはメガネをきつく挟むことができる挟みブロックが設けられ、前記昇降板の中には前方に開口したバネチャンバが設けられ、前記バネチャンバが前記昇降穴に連通しており、前記バネチャンバの中には前端が前記挟みブロックに連結された連結ブロックと前記連結ブロックを復帰させることができる伸縮バネとが設けられ、前記押し出し板の後端にはロープが固定的に設けられ、
前記伸縮機構は前記メガネフレームの中に位置した二つの摩擦チャンバも含み、前記摩擦チャンバの中には摩擦ブロックが摩擦によって連結され、前記伸縮ロッドの前端が前記摩擦チャンバの中に位置しており、且つ前記摩擦ブロックと連結され、前記ロープの後端が前記摩擦チャンバの前端壁を貫通しており、且つ前記摩擦ブロックと連結されていることを特徴とする便利にメガネに固定できる３Ｄメガネ。
【手続補正２】
【補正対象書類名】明細書
【補正対象項目名】全文
【補正方法】変更
【補正の内容】
【発明の詳細な説明】
【技術分野】
【０００１】
本発明はメガネ分野を取り上げて、具体的には便利にメガネに固定できる３Ｄメガネである。
【背景技術】
【０００２】
現段階では、３Ｄ映画を見るとき、３Ｄメガネをかける必要があり、しかし、映画館のスタッフは観客がメガネをかけているかどうかによって二種類の異なった３Ｄメガネを配布し、それでは、効率よく観客を入場させることができなく、映画館が込みやすく、また一部の３Ｄメガネはクリップを設置することでメガネに固定するが、こういう方法では３Ｄメガネがメガネでスライドしやすくなり、映画鑑賞に影響する。
【先行技術文献】
【特許文献】
【０００３】
【特許文献１】中国特許出願公開第１０３８８５１７２号明細書
【発明の概要】
【発明が解決しようとする課題】
【０００４】
本発明の目的は便利にメガネに固定できる３Ｄメガネを提供し、それは上記の現在の技術中の問題を解決できる。
【課題を解決するための手段】
【０００５】
上記の課題を解決するため、本発明は以下の技術プランを採用する：本発明の便利にメガネに固定できる３Ｄメガネは、メガネフレームとメガネフレームに位置した二つの３Ｄメガネレンズとを含み、二つの前記３Ｄメガネレンズが連結ロッドによって連結され、前記メガネフレームの下端には二つの前記３Ｄメガネレンズを支持できる支持ブロックが二つ固定的に設けられ、前記メガネフレームの中にはメガネをきつく挟むことができる挟み機構が設けられ、前記挟み機構は前方に開口した押し出しチャンバを含み、前記押し出しチャンバの中には前端が外部空間の中に位置できる押し出し板と前記押し出しチャンバの後端壁に固定された二つの押し出しバネとが設けられ、二つの前記押し出しバネは前記押し出し板を復帰させることができ、前記押し出し板の中には二つの昇降チャンバが設けられ、前記昇降チャンバの中には昇降可能な昇降板と前記昇降板を支持する二つの昇降バネとが設けられ、前記押し出しチャンバの上端壁には下端が前記押し出し板と当接した固定ブロックが二つ設けられ、前記固定ブロックは前記押し出し板のスライドを制限でき、前記昇降板の上端面には台形ブロックが設けられ、前記台形ブロックの上端が前記固定ブロックによって下へ押されることができ、前記メガネフレームの中には前記メガネフレームを支持できる二つの伸縮機構が設けられ、前記伸縮機構が伸縮でき、前記伸縮機構は伸縮ロッドを含み、前記伸縮ロッドの中には回転チャンバが設けられ、前記回転チャンバの中には後端が外部空間に位置できるつるが設けられ、前記つるの前端には前方に開口した回転溝が設けられ、前記回転溝の中には回転可能な回転ブロックが設けられ、前記回転ブロックの前端には前端が前記回転チャンバの前端壁に固定された回転バネが固定的に設けられ、前記回転バネは前記つるを復帰させることができ、前記回転チャンバの端壁の中には内壁が前記回転チャンバに連通した弓形溝が設けられ、前記回転チャンバの下端壁の中には位置制限溝が設けられ、前記位置制限溝の左右端壁が前記弓形溝に貫通され、前記位置制限溝の後側上端壁が前記回転チャンバと連通しており、前記位置制限溝の後側の上端壁が前記回転チャンバに連通しており、前記位置制限溝には位置制限ブロックが摩擦によって連結され、前記位置制限ブロックの後端には前記位置制限溝に連通した収納溝が設けられ、前記収納溝の片側端壁の中には前記位置制限ブロックを貫通した貫通孔が設けられ、前記貫通孔が前記弓形溝に連通しており、前記弓形溝の片側端壁には復帰バネが固定的に設けられ、前記復帰バネの一端が前記貫通孔と前記収納溝とを貫通しており、且つ前記復帰バネの一端には弓形ロッドが接触によって連結され、前記つるの上端には上端が前記弓形溝に位置した旋転ブロックが設けられ、前記弓形ロッドの一端には前記旋転ブロックの回転を制御する弓形板が設けられ、当該装置を使用して３Ｄ映画を見るとき、メガネをかけていない人が前記伸縮機構を回転させた後に当該装置をかけるだけて映画を見ることができ、メガネをかけている人が前記伸縮機構を押し動かすことで前記挟み機構によってメガネをきつく挟むことができ、そしてメガネをかけて映画を鑑賞し、つるがメガネに影響しない。
【０００６】
優選の技術プランとして、前記挟み機構は前方に開口した昇降穴も含み、前記昇降穴が前記昇降チャンバと前記押し出しチャンバとに連通しており、前記押し出し板の前側にはメガネをきつく挟むことができる挟みブロックが設けられ、前記昇降板の中には前方に開口したバネチャンバが設けられ、前記バネチャンバが前記昇降穴に連通しており、前記バネチャンバの中には前端が前記挟みブロックに連結された連結ブロックと前記連結ブロックを復帰させることができる伸縮バネとが設けられ、前記押し出し板の後端にはロープが固定的に設けられ、前記挟み機構の作用は使用者がメガネをかけている人の場合、前記伸縮機構を押し動かした後、前記挟みブロックを押し出し、前記挟みブロックと前記支持ブロックとの協働によりメガネをきつく挟むことである。
【０００７】
優選の技術プランとして、前記伸縮機構は前記メガネフレームの中に位置した二つの摩擦チャンバも含み、前記摩擦チャンバの中には摩擦ブロックが摩擦によって連結され、前記伸縮ロッドの前端が前記摩擦チャンバの中に位置しており、且つ前記摩擦ブロックと連結され、前記ロープの後端が前記摩擦チャンバの前端壁を貫通しており、且つ前記摩擦ブロックと連結され、前記伸縮機構の作用は前記挟み機構の作動を制御することと同時に、前記つるを回転させた後に前記つるが直接に飛び出すことができ、そして装置を直接にかけて映画を見ることができることである。
【発明の効果】
【０００８】
本装置は構造が簡単で、操作が便利であり、装置はメガネをかけている人用の３Ｄメガネとメガネをかけていない人用の３Ｄメガネとを一つにし、これにより３Ｄ映画を見るときに二種類の３Ｄメガネを提供する必要がなく、観客がメガネをかけているかどうかによって３Ｄメガネを配布する必要もなく、効率よく入場でき、また装置は相対的にメガネのフレームに固定できるため、落ちにくく、映画鑑賞に影響しない。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の便利にメガネに固定できる３Ｄメガネの全体断面正面    構成略図
【図２】図２は本発明の便利にメガネに固定できる３ＤメガネのＡ―Ａの構成    略図
【図３】図３は本発明の便利にメガネに固定できる３ＤメガネのＢ―Ｂの構成    略図
【図４】図４は本発明の便利にメガネに固定できる３ＤメガネのＣ―Ｃの構成    略図
【図５】図５は本発明の便利にメガネに固定できる３ＤメガネのＤ―Ｄの構成    略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５を参照し、本発明の便利にメガネに固定できる３Ｄメガネは、メガネフレーム１とメガネフレーム１に位置した二つの３Ｄメガネレンズ４とを含み、二つの前記３Ｄメガネレンズ４が連結ロッド５によって連結され、前記メガネフレーム１の下端には二つの前記３Ｄメガネレンズ４を支持できる支持ブロック１１が二つ固定的に設けられ、前記メガネフレーム１の中にはメガネをきつく挟むことができる挟み機構３６が設けられ、前記挟み機構３６は前方に開口した押し出しチャンバ１０を含み、前記押し出しチャンバ１０の中には前端が外部空間の中に位置できる押し出し板８と前記押し出しチャンバ１０の後端壁に固定された二つの押し出しバネ１４とが設けられ、二つの前記押し出しバネ１４は前記押し出し板８を復帰させることができ、前記押し出し板８の中には二つの昇降チャンバ６が設けられ、前記昇降チャンバ６の中には昇降可能な昇降板７と前記昇降板７を支持する二つの昇降バネ９とが設けられ、前記押し出しチャンバ１０の上端壁には下端が前記押し出し板８と当接した固定ブロック１７が二つ設けられ、前記固定ブロック１７は前記押し出し板８のスライドを制限でき、前記昇降板７の上端面には台形ブロック１６が設けられ、前記台形ブロック１６の上端が前記固定ブロック１７によって下へ押されることができ、前記メガネフレーム１の中には前記メガネフレーム１を支持できる二つの伸縮機構３５が設けられ、前記伸縮機構３５が伸縮でき、前記伸縮機構３５は伸縮ロッド３１を含み、前記伸縮ロッド３１の中には回転チャンバ３９が設けられ、前記回転チャンバ３９の中には後端が外部空間に位置できるつる３０が設けられ、前記つる３０の前端には前方に開口した回転溝３７が設けられ、前記回転溝３７の中には回転可能な回転ブロック３８が設けられ、前記回転ブロック３８の前端には前端が前記回転チャンバ３９の前端壁に固定された回転バネ２５が固定的に設けられ、前記回転バネ２５は前記つる３０を復帰させることができ、前記回転チャンバ３９の端壁の中には内壁が前記回転チャンバ３９に連通した弓形溝２６が設けられ、前記回転チャンバ３９の下端壁の中には位置制限溝２３が設けられ、前記位置制限溝２３の左右端壁が前記弓形溝２６に貫通され、前記位置制限溝２３の後側上端壁が前記回転チャンバ３９と連通しており、前記位置制限溝２３の後側の上端壁が前記回転チャンバ３９に連通しており、前記位置制限溝２３には位置制限ブロック２１が摩擦によって連結され、前記位置制限ブロック２１の後端には前記位置制限溝２３に連通した収納溝２２が設けられ、前記収納溝２２の片側端壁の中には前記位置制限ブロック２１を貫通した貫通孔２４が設けられ、前記貫通孔２４が前記弓形溝２６に連通しており、前記弓形溝２６の片側端壁には復帰バネ３２が固定的に設けられ、前記復帰バネ３２の一端が前記貫通孔２４と前記収納溝２２とを貫通しており、且つ前記復帰バネ３２の一端には弓形ロッド３３が接触によって連結され、前記つる３０の上端には上端が前記弓形溝２６に位置した旋転ブロック２７が設けられ、前記弓形ロッド３３の一端には前記旋転ブロック２７の回転を制御する弓形板３４が設けられ、当該装置を使用して３Ｄ映画を見るとき、メガネをかけていない人が前記伸縮機構３５を回転させた後に当該装置をかけるだけて映画を見ることができ、メガネをかけている人が前記伸縮機構３５を押し動かすことで前記挟み機構３６によってメガネをきつく挟むことができ、そしてメガネをかけて映画を鑑賞し、つる３０がメガネに影響しない。
【００１３】
有益に、前記挟み機構３６は前方に開口した昇降穴２０も含み、前記昇降穴２０が前記昇降チャンバ６と前記押し出しチャンバ１０とに連通しており、前記押し出し板８の前側にはメガネをきつく挟むことができる挟みブロック１３が設けられ、前記昇降板７の中には前方に開口したバネチャンバ１９が設けられ、前記バネチャンバ１９が前記昇降穴２０に連通しており、前記バネチャンバ１９の中には前端が前記挟みブロック１３に連結された連結ブロック１２と前記連結ブロック１２を復帰させることができる伸縮バネ１８とが設けられ、前記押し出し板８の後端にはロープ１５が固定的に設けられ、前記挟み機構３６の作用は使用者がメガネをかけている人の場合、前記伸縮機構３５を押し動かした後、前記挟みブロック１３を押し出し、前記挟みブロック１３と前記支持ブロック１１との協働によりメガネをきつく挟むことである。
【００１４】
有益に、前記伸縮機構３５は前記メガネフレーム１の中に位置した二つの摩擦チャンバ２も含み、前記摩擦チャンバ２の中には摩擦ブロック３が摩擦によって連結され、前記伸縮ロッド３１の前端が前記摩擦チャンバ２の中に位置しており、且つ前記摩擦ブロック３と連結され、前記ロープ１５の後端が前記摩擦チャンバ２の前端壁を貫通しており、且つ前記摩擦ブロック３と連結され、前記伸縮機構３５の作用は前記挟み機構３６の作動を制御することと同時に、前記つる３０を回転させた後に前記つる３０が直接に飛び出すことができ、そして装置を直接にかけて映画を見ることができることである。
【００１５】
以下、図１〜５と上記に説明した本出願の便利にメガネに固定できる３Ｄメガネの具体的な構造とを参照し、便利にメガネに固定できる３Ｄメガネの使用方法を詳しく説明する：
【００１６】
映画を見るときに装置をメガネに固定するとき、メガネのレンズを３Ｄメガネの前側に置き、後ろへ伸縮ロッド３１を押し動かし、これによりロープ１５が緩くなり、これにより押し出しバネ１４が押し出し板８を前へ押し出し、これにより挟みブロック１３が外部空間に位置し、台形ブロック１６が前へ運動するときに固定ブロック１７に止められ、これにより台形ブロック１６が下へ運動し、これにより昇降板７を下へ運動させ、これにより挟みブロック１３を下へ運動させ、これによりメガネをきつく挟み、そしてメガネをかければ映画を見れ、装置を初期状態に戻すとき、伸縮ロッド３１を引き動かし、ロープ１５により押し出し板８を復帰連動させ、挟みブロック１３がメガネフレーム１に制限させるため、伸縮バネ１８が引っ張られ、押し出し板８が後ろへ運動することによって台形ブロック１６を固定ブロック１７の後側に位置させ、昇降板７が昇降バネ９の作用により上へ運動し、これにより挟みブロック１３を上昇させ、これにより挟みブロック１３が伸縮バネ１８の作用により復帰し、装置が初期状態に戻る。
【００１７】
直接に装置をかけて映画を見るとき、つる３０を回転させることにより旋転ブロック２７が回転し、これにより弓形ロッド３３の一端が貫通孔２４の中に位置し、且つ弓形板３４が収納溝２２の中に位置し、旋転ブロック２７が収納溝２２の中に位置した後、復帰バネ３２が貫通孔２４の中から押し出され、これによりつる３０が回転バネ２５の作用により前へ押し出され、これにより位置制限ブロック２１が旋転ブロック２７とつる３０との作用により前へ運動し、復帰バネ３２の復帰を制限し、つる３０が押し出された後に装置をかけて映画を見ることができ、装置を復帰させるとき、後ろへつる３０を押し動かして復帰させ、弓形ロッド３３と復帰バネ３２とが再び接触し、復帰バネ３２が再び復帰し、弓形ロッド３３と弓形板３４と旋転ブロック２７とを復帰連動させ、これによりつる３０を復帰させ、また回転バネ２５の復帰を制限し、装置が初期状態に戻る。
【００１８】
本装置の有益効果は：本装置は構造が簡単で、操作が便利であり、装置はメガネをかけている人用の３Ｄメガネとメガネをかけていない人用の３Ｄメガネとを一つにし、これにより３Ｄ映画を見るときに二種類の３Ｄメガネを提供する必要がなく、観客がメガネをかけているかどうかによって３Ｄメガネを配布する必要もなく、効率よく入場でき、また装置は相対的にメガネのフレームに固定できるため、落ちにくく、映画鑑賞に影響しない。
【００１９】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。